(57)【要約】【課題】  二枚のシートを熔着によって複数系統の空気室を設け、高圧、低圧、の通気によって空気室を膨張、収縮させるマットがあるが指圧、マッサージ効果をあげるには前記空気室を筒状ではなく節状の凹凸をつけることが有効である。そのため仕切り熔着線と隣接空気室の境界熔着線の交叉部が応力集中で弱くなる。これを緩和するマットを提供する。【解決手段】  １．他系統との境界線上に複数の熔着貫通孔を設け隣接する貫通孔間を線熔着する。又各列の空気室の端末の貫通孔を交互に左右を隣接の貫通孔と線熔着することで他系統と分離する。分離点に熔着貫通孔を設け応力を分散し更に空圧変化時に貫通孔が変形するため衝撃負荷が緩和する。２．隣接の他系統との熔着境界は直線であるが境界線間に空気の通過が可能な通路を残す複数の熔着貫通孔を設け交叉部を除き、端末の交叉部も応力を分散し且つ貫通孔の弾性変形により衝撃負荷を緩和している。【選択図】        図３
2005168613.tif 000002
【特許請求の範囲】
【請求項１】
熱可塑性の合成樹脂からなる二枚のシートを熔着によって各群の空気室に分離して形成するエアーマットであって、隣接する空気室の境界線上に複数の貫通孔を設け、前記貫通孔の周辺は熔着され、かつ隣接する複数の前記貫通孔が線熔着で結ばれた、応力の集中と繰返し曲げによる前記シートの疲労を緩和して空気漏れを防ぎ、更に前記貫通孔による呼吸効果により除湿が行なわれることを特徴としたエアーマット。
【請求項２】
熱可塑性合成樹脂からなる二枚のシートを熔着によって各群の空気室に分離して形成するエアーマットであって、隣接する空気室の境界線は直線で熔着され、熔着により形成された前記境界線の中間に空気の通過が可能な通路を残すように複数の貫通孔が熔着により設けられた。応力の集中と繰返し曲げによる前記シートの疲労を緩和して空気漏れを防ぎ、更に前記貫通孔による呼吸効果により除湿が行なわれることを特徴としたエアーマット。
【発明の詳細な説明】
【技術分野】
【０００１】
自分で寝返りが出来ない病人は同一部分の圧迫で皮膚組織の血行が悪くなるため局所が壊死する褥瘡（床ずれ）が生ずる。これを予防するためには受圧部の拡散と、受圧部の位置の移動、除湿が有効である。健常者であっても疲労回復のため指圧やマッサージが効果的である。本発明は複数の群に分けた膨出室を通気によって膨張、排気によって収縮させて前記の目的を果すエアーマット装置のマット構造に属する。
【背景技術】
【０００２】
図１−aは人が横臥したときの、概略を示したものであるが、図１−bにｂ、ｄ、ｆ、ｈ、は比較的単位当りの面圧は低いが面積は広く、a、ｃ、e、ｇ、ｉは面積は狭いが面圧は高い（突起部）、然もこれらは個人差が著しいので、それに対応するために、多種多様のマットが提供されている。そのためマットの構造が複雑で高価なものが多い。例えば図５は塩化ビニールシート２枚を重ね合せたマットを示し周辺１．５．６．７を熔着し、その中に図示のように貫通孔２、をあけ貫通孔２、の周囲を熔着して気密にし、通気口３から圧力空気を入れ封入したもので膨出する頂点１１を形成して簡潔で受圧部面積の拡散は行なわれているが、その他の要求は達成されていない。
【０００３】
又、図６は空気袋を複数の群（この図では２群）A´、B´群に分け、それぞれにA系統のパイプ、B系統のパイプを接続し、エアーユニットより通気、排気をすることで空気袋A´、B´を膨張、収縮させて受圧部の面圧の拡散と位置の移動を繰返えさせるものであるが、除湿については空気袋A´、B´に微細な孔をあけ、それよりの噴気に依存したり、或るものは第３の系統（図示せず）の配管からの噴気を制御して除湿したものもある。具備すべき要件に指圧、、マッサージ効果が加わると構造は更に複雑となる。
【０００４】
図７は他の例を示し空気袋を簡潔にするために、塩化ビニールシートなどを２枚重ねて、熔着によって成形されたマットの例である。マットの周辺１，５，６，７を熔着し、任意の数の横方向に仕切線、イ、ロ、ハ、ニ、・・・の端末をマット周辺１、７、の線から通気に支障のない間隔を残し、次に従方向の仕切線α、β、γ、δ、εを開口して熔着する。次に３のA系統４のB系統より高圧、低圧の通気を交互に行えば、7図の横方向の仕切線、イ、ロ、ハ、ニ、と従方向の仕切線α、β、γ、δ、ε、に囲まれた枠内は、中央が最も高く膨らんだ頂点１１を有する。従ってA系統B系統の通気を交互に繰返すことで受圧部の拡散と、位置の移動ならびに指圧、マッサージ効果に対応出来るマット機能を設えている。然しこの形のマットは従の支切線と横の仕切着線が交叉した角の部分に応力が集中し、更に中央部に近いところは使用中に頻繁に折り曲げが繰返えされるために交叉部の破損による空気漏れが起り易い。
【０００５】
図８に示す例は、図7に示したマットの欠点を解消するため図8の波形の実線で示す形の専用の熱盤により熔着したものでマット周辺１、５、６、７、を熔着し波形１０の曲線で熔着した後、次にこのシートを１ピッチ進めて点線部で熔着する。この手順を繰返して、所要の長さのマットを製作することで、図7のように熔着による仕切線の交叉の弊害は無いけれども現状に於ては専用の熱盤（型）を必要とし初期の設備費が高価であるのみでなく、モデルチェンジに費用と時間を要する。又除湿に対しても専用の装置が必要である。
【発明の開示】
【発明が解決しようとする課題】
【０００６】
病人の褥瘡を予防したり、健常者の疲労回復を目的とするエアーマット装置はそのマット使用者との接触部位即ち使用者の身体とマットの間で受圧部位の拡散（受圧面積の拡大）受圧部の移動、圧力の変化を繰返し、更にマッサージ、指圧の効果を得るためには、これらの繰返し速度が適当であると共に、除湿することが必要である。本発明はこれらの課題を簡潔な方法で解決しようとするものである。
【課題を解決するための手段】
【０００７】
上記の課題を解決するための。第一の発明では熱可塑性合成樹脂からなる二枚のシートを熔着によって各群の空気室に分離して形成するエアーマットであって、隣接する空気室の境界線上に複数の貫通孔を設け、前記貫通孔の周囲は熔着され、かつ隣接する複数の前記貫通孔が熔着線で結ばれて、応力の集中と繰返し曲げによる前記シートの疲労を緩和して空気漏れを防ぎ、更に前記貫通孔による呼吸効果により除湿が行われるエアーマットの構造とした。
【０００８】
また第２の発明では、熱可塑性合成樹脂からなる二枚のシートを熔着によって各群の空気室に分離して形成するエアーマットであって、隣接する空気室の境界線が直線で熔着され、熔着によって形成された前記境界線の中間に空気の通過に必要な通路を残すようにして複数の熔着貫通孔を設けることで、応力の集中と繰返し曲げによる前記シートの疲労を緩和して、空気漏れを防ぎ、更に前記貫通孔による呼吸効果により除湿が行われるエアーマットの構造とした。
【発明の効果】
【０００９】
本発明は以上に説明したように構成されているので、以下に記載されたような効果がある。
【００１０】
隣の系統の空気室との境界に複数の熔着した貫通孔１４を設けその貫通孔１４と隣接する貫通孔１４とを熔着線１２で気密に結び、隣接の空気室と分離し、高圧、低圧、の空気を系統別の空気室に繰返し供給しても応力の集中と折曲げの繰返しの疲労が少ない形状とすることが出来た。（図３参照）  
【００１１】
上記と同じ目的であるが隣接系統の空気室との境界を直線の熔着線１２で熔着し、両側の境界の直線間に複数の熔着した貫通孔１４を設けることで熔着の交叉部を無し応力の分散と繰返し曲げによる疲労破壊の緩和が出来る他の例である。（図４参照）
【００１２】
前記のように熔着貫通孔をあけ、孔の周囲の空気室が系統別に交互に膨張、収縮するため呼吸作用によるポンプ効果により熔着貫通孔１４に通気があり特別な除湿装置が不要となった。
【００１３】
並列するA系統、B系統の境界の間隔と通気による各空気室の頂点１１の膨らみはほぼ一定の比率がある。本発明では熔着に使用する型板は丸形と直線の組合せで構成されているので図３のピッチｐを変更するのみで専用の型板を作る必要がなく個人差に対応出来る（図１−ｂ、図１−C参照）
【発明を実施するための最良の形態】
【００１４】
請求項１に記載した発明の実施の形態を図面に基づき説明する。
図１−aは人が横臥した時の姿図で床面との接触状態を表わしたものである。接触圧を受けているところは、図１−ｂに示す様にａ，ｃ，ｅ，ｇ，ｉ，部であり、この部の接触圧を緩和するためには、ｂ，ｄ，ｅ，ｆ，ｈ，部の空隙部にも体圧を分担させることが必要である。
【００１５】
前記目的のためマットの各系統（図１−Cは２系統）の空気室を高圧、低圧、の通気を繰返すこと、更に指圧、マッサージ効果を高めるために各空気室は単純な筒状でなく適当な凹凸をもった節状であることが必要であり、又高圧、低圧、の繰返し頻度の速いことが求められる。
【００１６】
前記の理由から二枚のシートを重ねて熔着によって複数系統の空気室の膨張と収縮を繰返えさせるマットでは、熔着線の交叉部が損傷し易く、又除湿の対策が別途必要となる。
【００１７】
前記の必要条件を解決するため本発明の請求項１に記載の発明では、図３に示す様に、隣接空気室との境界線上に熔着貫通孔１４を設け、隣接する貫通孔１４と熔着線（１２，１３）で結び応力を分散させて、通気圧の変化時の衝撃を貫通孔１４の弾性変形で緩和し、更に貫通孔１４周囲の膨張と収縮による呼吸作用で貫通孔１４内を通気させて除湿を行っている。
【００１８】
図中１５はA系統空気室の通気時の膨らみの頂点を示し１１はB系統の膨らみの頂点である。なお、マットは下記の条件で作成した。
マット寸法    横  ６０ｃｍ      従    ９０ｃｍ
マット材質    軟質塩化ビニール
〃        抗張力            ２６００N／ｃｍ２
〃        伸び              ３７０％
〃        脆性温度          −３０℃
シート厚み          ０．４ｍｍ  と０．５ｍｍの２種類
熔着条件
熔着材        高周波ウエルダー足踏式
〃        出力          ４ｋｗ
〃        最大圧力      ２５０ｋｇ
熔着条件      電極材料      黄銅
電極構造      貫通孔は熔着と熔断同時
直線部は帯板状（１本）
熔着時間      ２〜４秒
なおマットの作業条件は実施例１と近似のため説明を詳略する。
【００１９】
請求項２に記載の実施例を示す図４では各系統（図では２系統）の境界熔着線１２は直線であるが熔着線１２に挟まれた空気室内に空気の通過が可能な通路１６を残す様に熔着貫通孔１４を設けることにより、空気室に節状突起を作り熔着の交叉を無すとともに貫通孔１４の緩衝効果と、通気による除湿を行わせている。
【００２０】
本発明のマットを図２に示す様に境界に熔着貫通孔１４を設け、隣接の貫通孔１４を熔着線１２で結ぶ様に連続的に作成し、任意の長さに切断して造ることも出来る。
【図面の簡単な説明】
【００２１】
【図１】a  人が床上に横臥した姿図。b  ２系統のエアーマットにおける空気室の間隔と膨らみの関係を示す図。C  ２系統のエアーマットの空気室の不等分割の例を示す平面図。
【図２】境界に熔着貫通孔を設け、隣接の貫通孔を熔着線で結んで連続的にマットを作る例の見取図。
【図３】請求項１記載の発明の実施例となるエアーマットの平面図。
【図４】請求項２記載の発明の実施例となるエアーマットの平面図。
【図５】従来型マットの一例を示す平面図。
【図６】従来型マットにエアーポンプを接合した状態を示す平面図。
【図７】本発明に関連するマットであるが熔着部の交叉部に応力が集中するマットの例を示す平面図である。
【図８】本発明に関連するマットであるが、熔着部の無い例の平面図。
【符号の説明】
【００２２】
１．５．６．７    マットの周縁部
２．              従来の貫通孔
３．４            通気孔
１０．            波形境界熔着線
１１．            B系統膨出部頂部
１２．１３．      熔着線
１４．            熔着貫通孔
１５．            A系統膨出部頂部
１６．            空気の通過が可能な通路
イ．ロ．ハ．ニ．  横方向の仕切線
α.β.γ.δ.ε.   従方向の仕切線
３´.４´         接続用予備通気口
【図１】
2005168613.tif 000003
【図２】
2005168613.tif 000004
【図３】
2005168613.tif 000005
【図４】
2005168613.tif 000006
【図５】
2005168613.tif 000007
【図６】
2005168613.tif 000008
【図７】
2005168613.tif 000009
【図８】
2005168613.tif 000010